(57)【要約】【課題】  本発明は、夏季において室内でデスクワーク時、加齢及び更年期障害や節電による室内温度の上昇の為、掌や腕の汗で、文字を書いている用紙が濡れたり汚れたりするのを防止するための腕カバーを得ることにある。【解決手段】  拳から肘までの腕下部に沿わせて宛てられる形状をした吸湿性のあるキルティングもしくは吸水性に優れた素材をワンタッチにより着脱可能となるよう固定バンドを設け、またデザイン性も加味し腕にフィットした形状を特徴とした事務作業用汗取り腕カバー。【選択図】  図１
2015004142.tif 000002
【特許請求の範囲】
【請求項１】
腕の肘後方から先部分全体をカバーする大きさで、角が丸みを持った長方形上に裁断された平面キルティング生地もしくは吸水性に優れた素材をベースとし、ベースの縁をバイアステープで補強し、そのベース上に腕に沿えた時の手首位置と肘に近い前腕部位置の二カ所に、腕への固定用ゴムバンドもしくはテープ状の面ファスナーを配設したことを特徴とした事務作業用汗取り腕カバー。
【請求項２】
前記平面キルティング生地もしくは吸水性に優れた素材を腕部分の太さに合わせるべく、長手方向の前方が幅狭く、後方が幅広く、全体に丸みを帯びた形状とし、靴底のように湾曲した形状で、右腕用、左腕用の一対とした請求項１記載の事務作業用汗取り腕カバー。
【発明の詳細な説明】
【技術分野】
【０００１】
本発明はデスクワークを行う場合、汗でノートや書類が濡れたり汚れたりするのを防止するための事務作業用汗取り腕カバーである。
【背景技術】
【０００２】
従来の腕カバー（手甲）は、日焼防止や服の袖口の汚れ防止を目的として考えられ、その目的にかなった形状、材質の物が発明として開示されている。（例えば、特許文献１及び特許文献２参照）
【先行技術文献】
【特許文献】
【０００３】
【特許文献１】特開２００６−２４１６３５号公報
【特許文献２】実開平６−６９２１７号公報
【発明の概要】
【発明が解決しようとする課題】
【０００４】
上記先行技術文献に記載の腕カバー、手甲はそれぞれの目的に応じた機能を優先するがために一般事務作業を行う時には次のような問題点があった。筒状の手甲は夏の暑い日は通気性がないため内部が蒸れて余計に汗が出てしまい、また手首より先については、カバーもなく汗で書類等が濡れて汚してしまうことがある。その手首より先の汗対策に机との間に紙、薄布などを敷くも、それらも一般的には薄いため汗が染み出てしまう。
【０００５】
本発明は前述のような従来の暑い季節の事務作業に配慮していなかった問題点を解決するために、腕に対する快適性、吸水性について配慮した腕カバーを提供するものであり、以下にその解決するための手段について説明する。
【課題を解決するための手段】
【０００６】
上記課題を解決するために本発明は次のような構成で目的を達成する。
腕の肘後方から先部分全体をカバーする大きさで、角が丸みを持った長方形上に裁断された平面キルティング生地もしくは吸水性に優れた素材をベースとし、そのベースに腕に沿えた時に腕の手首位置と肘に近い前腕部位置の二カ所に腕への固定用ゴムバンドもしくはテープ状面ファスナーを配設した腕カバーとする。（請求項１）
【０００７】
更にその腕下部に宛がわれるベース部分は平面形状として概ね長方形状ではあるが、詳細形状として腕部分の上面からの投影形状に近く、すなわち肘近傍の部分は幅が広く、先端に向けて狭くし、手のひら部分は掌底の大きさに合わせる。また、事務机に座した時の腕の形に合わせ、左右対称ではあるが、右用、左用の靴底ように湾曲した形状をもって事務机に腕を乗せても違和感のないデザイン性に優れた形状とする。（請求項２）
【発明の効果】
【０００８】
事務作業においてこの構造の腕カバーを肘から先の腕下部に固定することにより、従来の袋形状から脱却した通気性の良い構造とし、腕からの発汗を少なくするとともに放出する汗をベースであるキルティングもしくは吸水性に優れた素材で吸水することで事務机上への湿気を遮断することができる。
【０００９】
また、吸汗を目的とした腕カバーであるため、衛生的でなければならない。ベースのキルティングは洗濯も簡単で乾きも早い。又、ベースと腕の間に吸汗性に優れたシート等をはさむことでシートのみ交換も可能となり吸湿性も上昇する。
【００１０】
他に、機能面だけではなく、本発明による腕カバーは旧来より「手甲」と言われた袋状のイメージから脱皮し、お洒落な「腕カバー」としての現代風なデザインも取り入れ、夏場のオフィスでの事務作業を快適なものにする革新的な要素を持ち合せている。
【００１１】
本事務作業用汗取り腕カバーは左右対称形状であり、手首より先を細くすることにより文字も乱れなく書くことができ、指先は自由に動かせパソコン等も装着したまま使用可能で、急な来客時には面ファスナーにより簡単に着脱可能である。また、上部は覆われていないので通気性がよく布部分にキルティングを使用しているので吸湿性もよい。肘部分より後ろに布を伸ばしているので肘から垂れる汗を効率よくキャッチし、もちろん手首の汗もキャッチしてくれる。又、ベースと腕の間に吸水性の良いシートをはさむことでシートのみの交換が出来、吸水性をより高めることも可能である。しかも柄のバリエーションを選べることで、ファッション性に富み、サイズや柄を変えることで老若男女幅広く使用可能である。
【図面の簡単な説明】
【００１２】
【図１】本発明の事務作業用汗取り腕カバーの装着状態を示す図である。
【図２】本発明の事務作業用汗取り腕カバーの右手左手用の本体図である。
【図３】本発明の事務作業用汗取り腕カバーの肘を立てて着用した状態を示す図である。
【図４】本発明の事務作業用汗取り腕カバーのベースと腕の間に吸水性に優れたシートをはさんだ図である。
【発明を実施するための形態】
【００１３】
ベース部として両腕の投影形状に合わせてカットした布地（中綿の入っているキルティングもしくは吸水性に優れた素材）を敷き、その縁をバイアステープで補強することにより、丈夫で吸湿性のあるデザイン性に優れたベース形状を構築し、上面に面ファスナーなどの固定バンド二カ所で腕へ固定することにより、その通気性の良さを持って蒸れを防止した。さらに、手首より先の汗を吸水させるためベースの形状を握った時の手の下部形状（掌底）に合わせてカットし、手首部分で面ファスナーを使って固定する。また肘部分も面ファスナーで固定し、肘より後方へ布を伸ばす構造を取っており、この二カ所の固定により腕にフィットしずれることはない。以下に実施例に基づき詳細に説明する。
【実施例】
【００１４】
図１は本発明を腕に固定し、筆記具を使っての作業を行っている実施例を示している。作業する腕（１）の下部にベース裏面（２）を宛がい、面ファスナー（５）二カ所により腕に固定される。この事務作業の図は筆記の作業であるが、最近の事務作業で多くの時間を占めるパソコン操作などは両手に本発明の腕カバーを固定することにより肘、掌底からの汗が机、機械類に付着することなくキーボードを叩くことができ、発汗対策効果が発揮される。
【００１５】
本発明による実施例の腕カバー構造としては図２に示す通りであるが、キルティング（２）をバイアステープ（４）で補強したベースに面ファスナー（５）を装着させることで完成される。ベースの形状としては全体として肘から先の腕を上面から投影した形を基本とするように、先端は横幅が狭く手前部分はやや広めになっており、靴底と同じように左右対称での湾曲形状した形をとる。長さとして、先端は掌底位置とし、手前部分は肘より後方６ｃｍから７ｃｍ程度にし、肘部分まで余裕をもってカバーできる長さとする。これは肘を曲げての動作、例えば肘を立てて突いた場合でも、流れてくる汗を吸水出来るようにしたものであり、事務机上への湿気を遮断するためのものである。
使い方としてはベース（２）本体の上に腕を置き手首と肘の下部二カ所で面ファスナー（５）にて腕に固定する。（図１、３参照）  ベース（２）は汗を吸い取る目的のため中綿があり洗濯しやすいキルティングもしくは吸水性に優れた素材が望ましく、また面ファスナー（５）は使用する人の腕の太さにより調節でき伸縮するゴム製の面ファスナーが望ましい。もちろん固定の手段として単なるゴムバンドを装着しての構成もありうる。又、ベース（２）と腕（１）の間に、不織布や高分子吸水材を使用した吸水性の優れたシート（６）をはさむ事で吸湿性も上昇する。
【００１６】
本発明の実施の形態は上記の如き構成であるから装着も非常に簡単であり、また図３に示すように机上に肘を立てた場合でもしっかりと汗をキャッチする。また、肘を立てた時にはキルティング（３）の柄が見えファッションも楽しめる。
【００１７】
図４は本発明の実施の発展形態である。ベース（２）と腕（１）の間に科学的に合成された不織布や高分子吸水材で作られたシート（６）をはさむ事でシートのみを交換するだけでフレッシュな状態に戻すことができ、肌触りも良く衛生的で、汗を特に不快に感じる人にも配慮することが出来る。
【産業上の利用可能性】
【００１８】
本発明は一般の事務作業を行う職場で利用される物であり、省エネルギーを共通認識とした現代社会において、極力抑制された冷房下での職場環境改善策（発汗対策）として大いに貢献できるものと期待し、また確信するものである。
【符号の説明】
【００１９】
１  腕
２  ベース（キルティング）裏面
３  ベース（キルティング）表面
４  バイアステープ
５  面ファスナー（ゴム製）
６  シート（吸水性に優れた素材）
【図１】
2015004142.tif 000003
【図２】
2015004142.tif 000004
【図３】
2015004142.tif 000005
【図４】
2015004142.tif 000006